(57)【要約】      （修正有）【課題】自動車のヘッドライト等に反射して認識され易い安全性と、長さ測定に基づく計測値と予め定めた設定値との識別を容易に行う機能性とを併せ持つネックストラップを提供することにある。【解決手段】ネックストラップ１は、第１端部１０ａと第２端部１０ｂを有する長尺状の紐部１０と、第１端部１０ａに取付けられた第１係合部２０ａと、第２端部１０ｂに取付けられた第２係合部２０ｂと、紐部１０に対して取付けられた輪状の取付部３０とを具備する。紐部１０は、長さを計測するための目盛が記されているメジャー部４０と、光を反射する反射部とを備える。第１係合部２０ａと第２係合部２０ｂは取り外し可能に係止して紐部１０を輪状に形成し、取付部３０は携帯物品を取付け可能である。【選択図】図１
0003141926.tif 000002
【実用新案登録請求の範囲】
【請求項１】
第１端部と第２端部を有する長尺状の紐部と、
前記第１端部に取付けられた第１係合部と、
前記第２端部に取付けられた第２係合部と、
前記紐部に対して取付けられた輪状の取付部と、
を具備し、
前記紐部は、
長さを計測するための目盛が記されているメジャー部と、
光を反射する反射部と、
を備え、
前記第１係合部と前記第２係合部は取り外し可能に係止して前記紐部を輪状に形成し、前記取付部は携帯物品を取付け可能である
ネックストラップ。
【請求項２】
請求項１に記載のネックストラップであって、
前記第１係合部は、
突起部を有する第１係止部
を備え、
前記第２係合部は、
前記突起部と合わさる孔部を有する第２係止部
を備える
ネックストラップ。
【請求項３】
請求項１又は２に記載のネックストラップであって、
前記メジャー部は、
測定値の含まれる範囲を容易に識別するために前記目盛を第1色で表示した第1表示部と、
前記第１表示部と区別するために前記第1色とは異なる第２色で前記目盛を表示した第２表示部と、
を含む
ネックストラップ。
【考案の詳細な説明】
【技術分野】
【０００１】
本考案は、ネックストラップに関する。
【背景技術】
【０００２】
携帯物品には、吊り下げて携行出来るように端部にストラップを取付けられる。ストラップには、手で持ち運ぶショートストラップと、首から吊り下げるネックストラップがある。ストラップに吊り下げ紐としての機能以外を付与した従来技術として、特許文献１及び２がある。特許文献１は、携帯通信機のストラップに長さ計測用のメジャーを表示する考案が記載されている。特許文献２に記載されているストラップは、把持紐部の固定端側基端部に把持紐部の他端が摺動自在に挿通するカーソル部が取付けられ、把持紐部がスケールの役目をする。ループ状に形成されている把持紐部の外表面に１ミリ単位の目盛りが連続形成され、他端部がカーソル部に挿通自在に構成されているので、ループ状の把持紐部を被測定部に券回してゼロ点部分をスライドさせて、物の周囲を測定することが可能となる。
【０００３】
【特許文献１】実用新案登録第３０７８３３１号
【特許文献２】実用新案登録第３１０００８６号
【考案の開示】
【考案が解決しようとする課題】
【０００４】
本考案の課題は、自動車のヘッドライト等に反射して認識され易い安全性と、長さ測定に基づく計測値と予め定めた設定値との識別を容易に行う機能性とを併せ持つネックストラップを提供することにある。
【課題を解決するための手段】
【０００５】
以下に、本考案を実施するための最良の形態で使用される符号を括弧付きで用いて、課題を解決するための手段を記載する。この符号は、実用新案登録請求の範囲の記載と考案を実施するための最良の形態の記載との対応を明らかにするために付加されたものであり、実用新案登録請求の範囲に記載されている考案の技術的範囲の解釈に用いてはならない。
【０００６】
本考案のネックストラップは、第１端部（１０ａ）と第２端部（１０ｂ）を有する長尺状の紐部（１０）と、第１端部（１０ａ）に取付けられた第１係合部（２０ａ）と、第２端部（１０ｂ）に取付けられた第２係合部（２０ｂ）と、紐部（１０）に対して取付けられた輪状の取付部（３０）と、を具備する。紐部（１０）は、長さを計測するための目盛が記されているメジャー部（４０）と、光を反射する反射部（５０）と、を備える。第１係合部（２０ａ）と第２係合部（２０ｂ）は取り外し可能に係止して紐部（１０）を輪状に形成し、取付部（３０）は携帯物品を取付け可能である。このネックストラップは、反射部（５０）が自動車のヘッドライト等に反射して認識され易い安全性を持ち、且つメジャー部（４０）が長さ測定を可能とする機能性を併せ持つ。
【考案の効果】
【０００７】
本考案のネックストラップは、自動車のヘッドライト等に反射する反射部を備えるため、認識され易く装着時に安全性を高めることが出来る。更に、長さを測定出来るメジャー部に判定表示部を持つことにより、計測値と予め定めた設定値との識別が容易になる。
【考案を実施するための最良の形態】
【０００８】
添付図面を参照して、本考案の実施の形態によるネックストラップ１を説明する。
【０００９】
図１は、本考案の実施の形態によるネックストラップ１の構成例である。本考案のネックストラップ１は、首に吊り下げて着用し携帯物品を取付けるだけでなく、自動車のヘッドライト等に反射する安全性と、長さ測定に基づく計測値と予め定めた設定値との識別を容易に行う機能性とを保持する。図１を参照すると、本考案のネックストラップ１は、紐部１０と、係合部２０ａと、係合部２０ｂと、取付部３０とを具備する。
【００１０】
紐部１０は、柔軟性のある素材（ナイロン等）で構成され首から吊り下げることを可能にする。紐部１０は、携帯物品（携帯電話、カメラ、カードケースなど）を吊り下げるために十分な強度を有している。
係合部２０ａと係合部２０ｂとは、取り外し可能である。図１の（ａ）及び（ｂ）は、係合部２０ａと係合部２０ｂとの係止が外され長尺状になった例を示している。図１の（ｃ）は、係合部２０ａと係合部２０ｂとを係止し輪状を形成した例を示している。
取付部３０は、輪状をしており携帯物品を取付けることが出来る。取付部３０は、金属製のリング状であると携帯物品の取付が行いやすい。
【００１１】
紐部１０は、メジャー部４０と、反射部５０とを備える。紐部１０は、長尺状であり紐状又は帯状のどちらでも良いとする。メジャー部４０は、長さを計測するための目盛が記されている。メジャー部４０の目盛は、紐部１０の端部１０ａと端部１０ｂとの間にあればよい。本考案のネックストラップ１は、係合部２０ａと係合部２０ｂとを外して紐部１０が長尺状のとき、メジャー部４０を用いて長さの測定が可能となる。紐部１０は柔軟性を有しているため、平面だけでなく湾曲面の測定も可能である。ネックストラップ１は、メジャー部４０を用いて人体の腹囲を測定することが出来る。反射部５０は、光を反射する。例えば微細なガラスビーズを表面に施して反射させる方法が例示される。反射部５０の面積が大きいほど、ネックストラップ１の装着時の安全性は高まる。図１の（ｂ）は、反射部５０が、紐部１０の端部１０ａと１０ｂとの間に帯状に施された例を示している。紐部１０が帯状である場合は、メジャー部４０と反射部５０とは紐部１０の同一面上でも、各々異なる面上でも良いとする。図１は、メジャー部４０と反射部５０が各々異なる面上に施された例を示している。
【００１２】
図２の（ａ）は、係合部２０ａの構成例である。図２の（ｂ）は、係合部２０ｂの構成例である。図２を参照すると、係合部２０ａは端部１０ａに取付けられている。係合部２０ｂは端部１０ｂに取付けられている。図２は、紐部１０と係合部２０ａ、２０ｂとの接合の方法の一例を示している。図２では、紐部１０は係合部２０ａ、２０ｂを各々挿通し、折り返されている。折り返し箇所は、例えば縫い付ける等によって固定される。図２の方法に限らず、紐部１０と係合部２０ａ、２０ｂとは外れないように取付けられていればよい。紐部１０は、係合部２０ａと係合部２０ｂとの係止を外すと長尺状になる。紐部１０は、係合部２０ａと係合部２０ｂとを係止すると輪状になる。
【００１３】
取付部３０は、紐部１０に取付けられている。図２の（ｂ）を参照すると、取付部３０は紐部１０を用いて端部１０ｂに取付けられている。紐部１０は、係合部２０ｂと取付部３０とを挿通し、折り返されている。折り返り箇所は、例えば縫い付ける等によって固定される。取付部３０は、紐部１０に外れないように取付けられていればよい。取付部３０は、端部１０ａに取付けらていてもよい。更に、取付部３０は、端部１０ａと端部１０ｂとの各々２ヶ所に取付けられていてもよい。携帯物品は、紐やフックなどを介して取付部３０に取付ける方法が考えられる。
【００１４】
係合部２０ａは、係止部２１を含む（図２の（ａ））。係合部２０ｂは、係止部２３を含む（図２の（ｂ））。係止部２１は、係止部２３に挿入可能な形状である。
更に、係止部２１は突起部２２を含む。係止部２３は孔部２４を含む。突起部２２の大きさは、孔部２４の大きさに一致する。係合部２０は、係合部２０ａの係止部２１が係合部２０ｂの係止部２３に挿入され、突起部２２と孔部２４とが合わさることで係止する。突起部２２と孔部２４とは、係止する各々の大きさと、係止する各々の位置と、数とが一致していればよい。図２の（ｂ）を参照すると孔部２４は貫通している。しかし、孔部２４と突起部２２とが係止出来ればよく、孔部２４は貫通しない形状でもよい。また、係合部２０は、突起部２２と孔部２４とを離すように挿入とは逆方向へ引き抜くことで外すことが出来る。
【００１５】
図３は、メジャー部４０の構成例である。図３を参照すると、メジャー部４０は判定表示部４１を含む。判定表示部４１は、測定値の含まれる測定範囲が定められた設定値以上であるか以下であるかを容易に識別可能とする。識別の方法はいくつかの方法がある。識別の方法は、設定値以上の目盛の色と設定値未満の目盛の色とを変更する。他の識別の方法は、設定値以上の目盛のフォントと設定値未満の目盛のフォントとを変更する。更に他の識別方法は、設定値以上の目盛の含まれる紐部１０の色と設定値未満の目盛の含まれる紐部１０の色とを変更する。但し、何れの方法も２つ以上の測定範囲を識別する場合は、２つ以上の色とフォントと紐部１０の色とを用いてもよい。また、それぞれの方法を組み合わせてもよい。即ち、本考案のネックストラップ１は、メジャー部４０を用いて長さを測定したとき、判定表示部４１によって測定値の含まれる範囲を容易に識別可能とする。
【００１６】
メタボリックシンドロームの簡易判定方法の一つとして腹囲測定が挙げられている。男性の場合、腹囲が８５ｃｍ以上の場合メタボリックシンドロームの疑いが高いとされる。女性の場合、腹囲が９０ｃｍ以上の場合メタボリックシンドロームの疑いが高いとされる。よって、本発明のネックストラップ１は、判定表示部４１の設定値を８５ｃｍ又は９０ｃｍとすることで、メタポリックシンドロームの簡易判定を容易に行うことが出来る。尚、本考案のメジャー部４０は、メタボリックシンドロームの簡易判定機能を有するため９０ｃｍ以上であることが好ましい。
【００１７】
図４は、本考案のネックストラップ１を装着した一例である。図４は、ネックストラップ１の反射部５０を外側に向けて装着している。このように装着することで、自動車のヘッドライト等に反射し他者に認識され易い効果がある。
【００１８】
本考案のネックストラップ１は、携帯物品を吊り下げる機能だけでなく、反射部５０によって装着時の安全性を確保している。更に、メジャー部４０は長さ測定を可能とし、特に判定表示部４１によって測定値の含まれる測定範囲が設定値以上であるか以下であるかを容易に識別可能とする。この設定値を８５ｃｍ又は９０ｃｍとすると、メタボリックシンドロームの簡易判定が行える機能性を有している。
【図面の簡単な説明】
【００１９】
【図１】図１の（ａ）及び（ｂ）は、本考案の実施の形態によるネックストラップ１の構成例である。図１の（ｃ）は、本考案のネックストラップ１の係合部２０ａと係合部２０ｂとを係止した図である。
【図２】図２の（ａ）は、係合部２０ａの構成例である。図２の（ｂ）は、係合部２０ｂの構成例である。
【図３】図３は、メジャー部４０の構成例である。
【図４】図４は、本考案のネックストラップ１を装着した一例である。
【符号の説明】
【００２０】
１      ネックストラップ
１０    紐部
１０ａ  端部
１０ｂ  端部
２０    係合部
２０ａ  係合部
２０ｂ  係合部
２１    係止部
２２    突起部
２３    係止部
２４    孔部
３０    取付部
４０    メジャー部
４１    判定表示部
５０    反射部
【図１】
0003141926.tif 000003
【図２】
0003141926.tif 000004
【図３】
0003141926.tif 000005
【図４】
0003141926.tif 000006